(57)【要約】【課題】販売促進キャンペーン等において、低コストでくじの実施が可能な包装方法を提供する。【解決手段】ロールに巻回される封緘テープ２に、長さ方向に一定間隔で「当たり」の表示３を印刷しておき、この封緘テープ２をロールから引き出し、段ボール箱１に切り離して付着させ、表示３が複数の段ボール箱１について１つ含まれるようにする。従来の手順を変えることなく包装作業を行うことができ、チラシ等を別途用意する必要もなく、キャンペーン終了後には、封緘テープ２を通常のものに交換するだけで、元の包装に戻すことができるので、くじに要するコストが削減される。【選択図】図１
2008168912.tif 000002
【特許請求の範囲】
【請求項１】
ロールに巻回される帯材に、長さ方向に一定間隔で特定の表示を設けておき、この帯材をロールから引き出し、容器本体に切り離して付着させ、特定の表示が複数の容器本体について１つ含まれるようにしたくじ付き包装方法。
【請求項２】
前記容器本体が箱であり、帯材が封緘テープであることを特徴とする請求項１に記載のくじ付き包装方法。
【発明の詳細な説明】
【技術分野】
【０００１】
この発明は、販売促進キャンペーン等において、商品の包装にくじを付する方法に関するものである。
【背景技術】
【０００２】
例えば、通信販売業者は、商品の繰返し購入を狙った販売促進キャンペーンにおいて、くじによりプレゼントを行うことがある。このようなくじを実施する際には、当選を印刷したチラシを、商品を収納する多数の包装箱のうち、所定の割合で選んだものに同封したり、所定の割合で選んだ包装箱自体に印刷したりする場合が多い。
【発明の開示】
【発明が解決しようとする課題】
【０００３】
しかしながら、上記のような方法では、チラシの準備や包装箱の印刷の組み替えに多大なコストを要するという問題がある。
【０００４】
そこで、この発明は、販売促進キャンペーン等において、低コストでくじの実施が可能な包装方法を提供することを課題とする。
【課題を解決するための手段】
【０００５】
上記課題を解決するため、この発明に係る包装方法では、ロールに巻回される帯材に、長さ方向に一定間隔で「当たり」等を示す特定の表示を設けておき、この帯材をロールから引き出し、箱等の容器本体に、封緘テープ等として切り離して付着させ、特定の表示が複数の容器本体について１つ含まれるようにしたのである。
【発明の効果】
【０００６】
この発明に係る包装方法によると、容器本体とは別体の帯材に「当たり」等の表示を設け、これを封緘テープ等として使用するので、既存の包装装置等をそのまま利用して、手順を変えることなく包装作業を行うことができ、チラシ等を別途用意する必要もなく、また、キャンペーン終了後には、帯材を通常のものに交換するだけで、元の包装に戻すことができる。このため、くじの実施に要するコストを削減することができる。
【発明を実施するための最良の形態】
【０００７】
まず、この発明の第１実施形態を図１乃至図４に基づいて説明する。
【０００８】
図１に示す段ボール箱１は、通信販売の商品配送等に使用するものであり、その包装に際しては、対向するフラップを突き合わせて封緘する封緘テープ２として、「当たり」を示す表示３が印刷されたクラフトテープ等の粘着テープが使用されている。
【０００９】
封緘テープ２は、図２に示すように、ロール４に巻回されており、包装作業時に、ロール４から引き出し、段ボール箱１の天面から端面に貼り付けて裁断する。表示３は、封緘テープ２の長さ方向に間隔をあけて配置され、その間隔により、表示３が予定された当選確率に従い複数個の段ボール箱１について１つ含まれるようになっている。
【００１０】
このような包装では、段ボール箱１を受け取った商品の購入者が封緘テープ２の表示３を見つけることにより、当選の事実を知ることができ、段ボール箱１から剥がした封緘テープ２の表示３の部分を切り取って業者に送ることにより、キャンペーンのプレゼントを受け取ることができる。
【００１１】
そして、この包装方法によると、従来の手順を変えることなく包装作業を行うことができ、チラシ等を別途用意する必要もなく、キャンペーン終了後には、封緘テープ２を通常のものに交換するだけで、元の包装に戻すことができる。
【００１２】
なお、表示３は、図３に示すように、封緘テープ２を押圧して、点字状の凹凸を生じさせることにより形成したものとしてもよく、図４に示すように、封緘テープ２を切り抜いて形成したものとしてもよい。
【００１３】
次に、この発明の第２実施形態を図５及び図６に基づいて説明する。
【００１４】
図５に示す段ボール箱５もまた、通信販売の商品配送等に使用するものであり、この段ボール箱５には、開封用のカットテープ６が周壁の内面全周に亘って貼着されている。カットテープ６の表面には、「当たり」を示す表示３が印刷されている。
【００１５】
カットテープ６は、図６に示すように、ロール７に巻回されており、段ボール箱５のブランクの製造時に、ロール７から引き出し、ブランクに貼り付けて裁断する。表示３は、カットテープ６の長さ方向に間隔をあけて配置され、その間隔により、表示３が予定された当選確率に従い複数個の段ボール箱５について１つ含まれるようになっている。
【００１６】
このような包装では、段ボール箱５を受け取った商品の購入者がカットテープ６を引っ張って、段ボール箱５を開封し、カットテープ６の表示３を見つけることにより、当選の事実を知ることができ、カットテープ６の表示３の部分を切り取って業者に送ることにより、キャンペーンのプレゼントを受け取ることができる。
【００１７】
そして、この包装方法によると、既存の製造装置をそのまま利用してブランクを製造でき、包装時にチラシ等を別途用意する必要もなく、また、キャンペーン終了後には、カットテープ６を通常のものに交換するだけで、元の包装に戻すことができる。
【００１８】
次に、この発明の第３実施形態を図７及び図８に基づいて説明する。
【００１９】
図７に示すペットボトル８は、飲料用のものであり、その外周には、感熱式の樹脂フィルムから成るラベル９が装着されている。ラベル９には、表面にキャンペーンの告知が、裏面に「当たり」を示す表示３がそれぞれ印刷されている。
【００２０】
ラベル９のフィルムは、図８に示すように、ロール１０に巻回されており、飲料の充填に際し、ロール１０から引き出し、ペットボトル８に巻き付けて裁断すると共に、両端部を熱溶着により接合する。表示３は、ラベル９の長さ方向に間隔をあけて配置され、その間隔により、表示３が予定された当選確率に従い複数本のペットボトル８について１つ含まれるようになっている。
【００２１】
このような包装では、飲料の購入者が飲料を飲んだ後、ラベル９を切り裂いてペットボトル８から剥がし、ラベル９の表面に印刷した告知の記載に従い、裏面の表示３を見つけることにより、当選の事実を知ることができ、ラベル９の表示３の部分を切り取って業者に送ることにより、キャンペーンのプレゼントを受け取ることができる。
【００２２】
そして、この包装方法によると、既存のラベラーを備えた包装装置をそのまま利用して包装作業を行うことができ、「当たり」を表示したシール等を別途用意する必要もなく、キャンペーン終了後には、ラベル９を通常のものに交換するだけで、元の包装に戻すことができる。
【００２３】
次に、この発明の第４実施形態を図９及び図１０に基づいて説明する。
【００２４】
図９に示す袋１１は、菓子の収納に使用される樹脂フィルム製のものであり、袋１１の表面には、その一部に被さる樹脂フィルム製の帯状のラベル１２が両側のシール部に亘って張設されている。ラベル１２には、表面にキャンペーンの告知が、裏面に「当たり」を示す表示３がそれぞれ印刷されている。
【００２５】
袋１１及びラベル１２のフィルムは、図１０に示すように、それぞれロール１３，１４に巻回されており、商品の包装に際し、ロール１３，１４からフィルムを繰り出して、二つ折りにした袋１１のフィルムの表面にラベル１２のフィルムを重ねる。
【００２６】
表示３は、ラベル１２の長さ方向に間隔をあけて配置され、その間隔により、表示３が予定された当選確率に従い複数個の袋１１について１つ含まれるようになっている。
【００２７】
そして、各袋１１の両端となる縦方向のシール部でフィルムを熱溶着すると同時に、シール部の中央でフィルムを切断する。
【００２８】
その後、菓子の袋１１への収容に前後して、袋１１の上部及び下部を、横方向のシール部で順次シールする。
【００２９】
このような包装では、菓子の購入者がラベル１２の表面に印刷した告知の記載に従い、ラベル１２のシール部を袋１１から剥がし、裏面の表示３を見つけることにより、当選の事実を知ることができ、ラベル１２の表示３の部分を切り取って業者に送ることにより、キャンペーンのプレゼントを受け取ることができる。
【００３０】
そして、この包装方法によると、既存のラベル付き製袋用の包装装置をそのまま利用して、包装作業を行うことができ、「当たり」を表示したシール等を別途用意する必要もなく、キャンペーン終了後には、ラベル１２を通常のものに交換するだけで、元の包装に戻すことができる。
【００３１】
次に、この発明の第５実施形態を図１１及び図１２に基づいて説明する。
【００３２】
図１１に示すカップ１５は、即席めんの容器として使用されるものであり、カップ１５の天面は、蓋１６で覆われている。蓋１６の表面には、「当たり」を示す表示３が印刷され、この表示３は、爪先で削り取れるスクラッチ印刷１７で隠されている。
【００３３】
蓋１６は、図１２に示すように、ベースシート１８に幅及び長さ方向に多数並べて配置され、ベースシート１８はロール１９に巻回されている。表示３を有する蓋１６は、所定の間隔をあけて配置され、その間隔により、表示３が予定された当選確率に従い複数個のカップ１５について１つ含まれるようになっている。また、表示３のない蓋１６には「はずれ」を示す表示が印刷され、その印刷がスクラッチ印刷１７で隠されている。
【００３４】
ベースシート１８は、カップめんを挿入したカップ１５の天面を閉じる際、ロール１９から引き出し、蓋１６をベースシート１８から打ち抜いて、カップ１５の上端周縁部に貼り付ける。
【００３５】
このような包装では、カップめんの購入者が蓋１６のスクラッチ印刷１７を削り、表示３を見つけることにより、当選の事実を知ることができ、蓋１６の表示３の部分を切り取って業者に送ることにより、キャンペーンのプレゼントを受け取ることができる。
【００３６】
そして、この包装方法によると、既存のカップめんの包装装置をそのまま利用して、包装作業を行うことができ、「当たり」を表示したシール等を別途用意する必要もなく、キャンペーン終了後には、ベースシート１８を通常のものに交換するだけで、元の包装に戻すことができる。
【図面の簡単な説明】
【００３７】
【図１】この発明の第１実施形態に係るくじ付き段ボール箱を示す斜視図
【図２】同上の表示付き封緘テープのロールを示す斜視図
【図３】同上の表示を凸凹で形成した封緘テープを示す斜視図
【図４】同上の表示を切抜で形成した封緘テープを示す斜視図
【図５】この発明の第２実施形態に係るくじ付き段ボール箱を示す斜視図
【図６】同上の表示付きカットテープの貼着過程を示す斜視図
【図７】この発明の第３実施形態に係るくじ付きペットボトルを示す斜視図
【図８】同上の表示付きラベルの装着過程を示す斜視図
【図９】この発明の第４実施形態に係るくじ付き袋を示す斜視図
【図１０】同上の表示付きラベルの装着過程を示す斜視図
【図１１】この発明の第５実施形態に係るくじ付きカップを示す斜視図
【図１２】同上の表示付き蓋のベースシートのロールを示す斜視図
【符号の説明】
【００３８】
１  段ボール箱
２  封緘テープ
３  表示
４  ロール
５  段ボール箱
６  カットテープ
７  ロール
８  ペットボトル
９  ラベル
１０  ロール
１１  袋
１２  ラベル
１３，１４  ロール
１５  カップ
１６  蓋
１７  スクラッチ印刷
１８  ベースシート
１９  ロール
【図１】
2008168912.tif 000003
【図２】
2008168912.tif 000004
【図３】
2008168912.tif 000005
【図４】
2008168912.tif 000006
【図５】
2008168912.tif 000007
【図６】
2008168912.tif 000008
【図７】
2008168912.tif 000009
【図８】
2008168912.tif 000010
【図９】
2008168912.tif 000011
【図１０】
2008168912.tif 000012
【図１１】
2008168912.tif 000013
【図１２】
2008168912.tif 000014